(57)【要約】【課題】前方中高部と後方中高部とからなる中高部を有するにもかかわらず、装着時に、前方中高部と後方中高部との間に隙間を生じず、臀部の溝に密着させて経血等の体液の漏れを防止し、フィット性の高い吸収性物品を提供すること。【解決手段】本発明の生理用ナプキン１は、表面シート２、裏面シート３及び両シート間に介在する吸収体４を有する。吸収体４は、生理用ナプキン１の前方部ｂ及び後方部ｃに、吸収体４より幅狭で且つ凸状に突出する前方中高部４１及び後方中高部４２を有し、前方中高部４１は排泄部領域ａに形成されている。生理用ナプキン１には、生理用ナプキン１のＣＬ線に線対称的に設けられる一対の前方溝６が、前方中高部４１の側部４１ａに沿って形成され且つ幅方向外方に凸状に形成されており、前方中高部４１と後方中高部４２との間に、幅方向に延び且つ後方中高部４２に向って凸状の中間溝７が形成されている。【選択図】図１
2010131297.tif 000002
【特許請求の範囲】
【請求項１】
肌当接面を形成する表面シート、非肌当接面を形成する裏面シート及び両シート間に介在する吸収体を具備する吸収性物品であって、
前記吸収体は、前記吸収性物品の前方部及び後方部における肌当接面側に、該吸収体より幅狭で且つ肌当接面側に凸状に突出する前方中高部及び後方中高部を有し、該前方中高部は装着者の体液排泄部に当接される排泄部領域に形成されており、
前記吸収性物品の長手方向に延びる中心線に線対称的に設けられる一対の前方溝が、前記前方中高部の側部に沿って形成され且つ前記吸収性物品の幅方向外方に凸状に形成されており、
前記前方中高部と前記後方中高部との間に、前記吸収性物品の幅方向に延び且つ該後方中高部に向って凸状に形成された中間溝が形成されている吸収性物品。
【請求項２】
前記後方中高部が、前記吸収性物品の長手方向の後方に向かって先細り形状に形成されており、前記吸収性物品の前記中心線に線対称的に設けられる一対の後方内溝が、該後方中高部の側部に沿って形成されている請求項１に記載の吸収性物品。
【請求項３】
前記吸収性物品の前記中心線に線対称的に設けられる一対の後方外溝が、前記後方内溝より前記吸収性物品の外方に形成され且つ前記前方溝と繋がって形成されている請求項１又は２に記載の吸収性物品。
【請求項４】
前記前方溝、前記中間溝、前記後方内溝及び前記後方外溝が、それぞれ前記表面シートと前記吸収体とを接合している請求項１〜３の何れかに記載の吸収性物品。
【請求項５】
前記後方部の幅方向両外方には、一対の後方フラップが配置され、該後方フラップそれぞれの非肌当接面には、下着に固定する固定部が一つずつ存在し、該固定部は、前記後方内溝の最後方先端部に接し、且つ長手方向に延びる前記中心線に垂直な仮想直線上に配置されている請求項１〜４の何れかに記載の吸収性物品。
【請求項６】
前記吸収性物品の後方部における個装時の折り線は、前記固定部が配置されている部位よりも後方側に存在する請求項５記載の吸収性物品。
【発明の詳細な説明】
【技術分野】
【０００１】
本発明は、生理用ナプキンや失禁パッド等の吸収性物品に関する。
【背景技術】
【０００２】
臀部の溝に密着させて経血等の体液の漏れを防止するため、例えば、特許文献１には、吸収体上に長手方向に長い中高のクッション層（中高部）を介在させた吸収性物品が開示されている。
しかし、装着者の体の動きにより、吸収性物品の前方部又は後方部に中高部を変形させる力が発生すると、この変形させる力が後方部又は前方部へ伝わり、吸収性物品全体が変形し、ヨレを生じていた。
【０００３】
吸収性物品の前方部又は後方部の何れか一方に中高部を変形させる力が発生しても、その変形させる力が他方に伝わらないようにするために、例えば、特許文献２には、中高部が、吸収性物品の前方部及び後方部に別個に設けられた前方中高部と後方中高部とからなり、前方中高部と後方中高部との間に、前記前方部又は前記後方部の変形を、互いに影響させない折り曲げ起点が設けられている吸収性物品が開示されている。
しかしながら、前方中高部と後方中高部との間に折り曲げ起点を設けると、折り曲げ起点が隙間となり、その隙間の部分において、中高部を臀部の溝に密着することができず、経血等の体液の漏れを防止することが困難となる。
【０００４】
【特許文献１】特開２００３−２４３７２号公報
【特許文献２】特開２００６−２３９１６２号公報
【発明の開示】
【発明が解決しようとする課題】
【０００５】
従って、本発明の目的は、前方中高部と後方中高部とからなる中高部を有するにもかかわらず、装着時に、前方中高部と後方中高部との間に隙間を生じず、臀部の溝に密着させて経血等の体液の漏れを防止し、フィット性の高い吸収性物品を提供することにある
【課題を解決するための手段】
【０００６】
本発明は、肌当接面を形成する表面シート、非肌当接面を形成する裏面シート及び両シート間に介在する吸収体を具備する吸収性物品であって、前記吸収体は、前記吸収性物品の前方部及び後方部における肌当接面側に、該吸収体より幅狭で且つ肌当接面側に凸状に突出する前方中高部及び後方中高部を有し、該前方中高部は装着者の体液排泄部に当接される排泄部領域に形成されており、前記吸収性物品の長手方向に延びる中心線に線対称的に設けられる一対の前方溝が、前記前方中高部の側部に沿って形成され且つ前記吸収性物品の幅方向外方に凸状に形成されており、前記前方中高部と前記後方中高部との間に、前記吸収性物品の幅方向に延び且つ該後方中高部に向って凸状に形成された中間溝が形成されている吸収性物品を提供することにより前記目的を達成したものである。
【発明の効果】
【０００７】
本発明の吸収性物品によれば、吸収性物品の前方部又は後方部の何れか一方に中高部を変形させる力が発生しても、その変形させる力が他方に伝わらず、装着時に前方中高部と後方中高部との間に隙間を生じないように、臀部の溝への密着性を高め、経血等の体液の漏れ防止性を高め、フィット性を高めることができる。
【発明を実施するための最良の形態】
【０００８】
以下、本発明の吸収性物品である生理用ナプキンの好ましい一実施形態について、図１〜図４に基づいて説明する。
【０００９】
本実施形態の生理用ナプキン１は、図１に示すように、生理用ナプキン１の長手方向に延びる中心線ＣＬに対して左右対称に形成されている。
従って、以下には、主として生理用ナプキン１の右側の構成について詳述し、左側の構成については、適宜説明を省略し、右側の構成要素に対応する左側の構成要素は、符号にダッシュ(’)を付してある。
【００１０】
本実施形態の吸収性物品（生理用ナプキン）１は、図１〜図４に示すように、肌当接面を形成する表面シート２、非肌当接面を形成する裏面シート３及び両シート２，３間に介在する吸収体４を有する実質的に縦長のものである。
吸収体４は、図１及び図２に示すように、生理用ナプキン１の前方部ｂ及び後方部ｃにおける肌当接面側に、吸収体４より幅狭で且つ肌当接面側に凸状に突出する前方中高部４１及び後方中高部４２を有し、前方中高部４１は装着者の体液排泄部に当接される排泄部領域ａに形成されている。
【００１１】
生理用ナプキン１は、主に夜用の生理用ナプキンとして用いられるため、図５に示すように、後方部ｃの幅方向（ＣＬ線が延びる方向と直交する方向）両外方には、一対の後方フラップ３２，３２が形成されている。後方フラップ３２は、広げたまま、ショーツと装着者の臀部の間に配置され、臀部の一部又は全体を覆うように配置されることで、装着者の肌を伝わり後ろ側に漏れた液が下着に伝わるのを効果的に防止する。後方フラップ３２は、裏面シート３及び表面シート２の一方を、後方部ｃの幅方向（ＣＬ線が延びる方向と直交する方向）両外方に延在して形成されたり、裏面シート３と表面シート２とを共に延在して形成されたり、該両シート２，３の間に、薄い吸収シートを配置して形成される。後方フラップ３２は、後方部ｃの側方途中のみ、後方部ｃのさらに後ろ側に円弧状に形成してもかまわない。後方フラップ３２の形状は、弧状や、矩形状、台形状などがある。後方フラップ３２は、その厚みが０．２〜２．０ｍｍであり、その幅が１２０〜２００ｍｍであり、その長さが１２０〜２３０ｍｍであることが好ましい。
【００１２】
一対の後方フラップ３２それぞれの非肌当接面には、下着にフラップを広げたまま固定する固定部８が一つずつ存在している。固定部８は、図５に示すように、後方内溝６３の最後方先端部６３ｃに接し、且つ長手方向に延びる中心線ＣＬに垂直な仮想直線ＩＬ上に配置されている。固定部８としては、ホットメルト接着剤、メカニカル接合材、その他公知の物品用接合剤が使用できる。固定部８の形状は、縦長の矩形状、四角形、円形、楕円などが挙げられ、固定性の観点から縦長の矩形状が好ましい。図５に示すように、固定部８は、生理用ナプキン１の左右に一個ずつ配されているが、この一個の固定部８とは、目視で一個と認められる程度をいい、便宜的に、固定部８内にドット、線状の中抜きがあってもかまわない。生理用ナプキン１の左右の一方に２個以上固定部８を形成すると、固定部８同士の接合位置が、装着時に下着とうまく接合され難く、固定部８間で皺やずれが生じやすく、スッキリとするまで、装着者は、何度も固定のし直しが必要とされ好ましくない。生理用ナプキン１の左右の一方に固定部８を一個とすることで、このような不便は生じない。図５に示すように、仮想直線ＩＬと、固定部８の長手方向（ＣＬ方向）の前方部ｂ寄りの前端部８ｂとの間隔ｌは、装着中の動きによって生じる後部フラップ部３２のよれや捲れの影響を受けにくく、後部フラップ３２の広げた状態を安定的に維持できる観点から、０〜１５ｍｍの範囲が好ましい。
【００１３】
生理用ナプキン１には、生理用ナプキン１の長手方向に延びる中心線（ＣＬ線）に線対称的に設けられる一対の前方溝６１，６１’が、前方中高部４１の側部４１ａ，４１ａ’に沿って形成され且つ生理用ナプキン１の幅方向（ＣＬ線が延びる方向と直交する方向）に凸状に形成されている。
生理用ナプキン１には、前方中高部４１と後方中高部４２との間に、生理用ナプキン１の幅方向（ＣＬ線が延びる方向と直交する方向）に延び且つ後方中高部４２に向って凸状に形成された中間溝６２が形成されている。
【００１４】
ここで、「排泄部領域ａ」とは、装着者の体液排泄部に当接される領域を意味する。本実施形態の生理用ナプキン１のように、ウイング部３１，３１’を有する吸収性物品における排泄部領域ａは、通常、吸収性物品（生理用ナプキン１）の長手方向においてウイング部３１，３１’を有する領域である。ウイング部３１，３１’を有しない吸収性物品における排泄部領域ａは、生理用ナプキンが個装形態に折り畳まれた際に生じる製品長手方向（ＣＬ方向）に直交する２つの折り線について、生理用ナプキンの長手方向の前端から数えて第１折り線と第２折り線とに囲まれた領域と同じか又は狭い領域を言う。また、生理用ナプキンの製品長が長く３つの折り線が生じる場合には、製品の長手方向の前端から数えて第１折り線と第２折り線に囲まれた領域あるいは製品の長手方向の前端から数えて第１折り線と第３折り線とに囲まれた領域か又は狭い領域を言う。
【００１５】
また、「前方部ｂ」とは、本実施形態の生理用ナプキン１のように、ウイング部３１，３１’を有する吸収性物品においては、ウイング部３１，３１’の長手方向（ＣＬ方向：ＣＬ線の延びる方向）の後端付近よりも生理用ナプキン１の長手方向（ＣＬ方向）の前方の領域を言い、「後方部ｃ」とは、ウイング部３１，３１’の長手方向（ＣＬ方向：ＣＬ線の延びる方向）の後端付近よりも生理用ナプキン１の長手方向（ＣＬ方向）の後方の領域を言う。ウイング部３１，３１’を有しない吸収性物品においては、「前方部ｂ」とは、生理用ナプキン１が個装形態に折り畳まれた際に生じる製品長手方向（ＣＬ方向）に直交する折り線の中で、生理用ナプキン１の長手方向（ＣＬ方向）の前端から数えて第２番目の折り線付近よりも生理用ナプキン１の長手方向（ＣＬ方向）の前方の領域を言い、「後方部ｃ」とは、第２番目の折り線付近よりも生理用ナプキン１の長手方向（ＣＬ方向）の後方の領域を言う。
【００１６】
本実施形態の生理用ナプキン１について、詳述すると、本実施形態の生理用ナプキン１は、図１〜図２に示すように、液透過性の表面シート２、液不透過性又は撥水性の裏面シート３及び吸収体４を具備している。表面シート２及び裏面シート３それぞれは、吸収体４よりも大きい外径寸法を有している。表面シート２及び裏面シート３は、生理用ナプキン１の長手方向の両端部において、吸収体４の長手方向の両端部から延出し、その延出部は互いにヒートシール等により接合され、表面シート２は、吸収体４の長手方向の両側部で吸収体４を包むように折り返されて裏面シート３にヒートシール等により接合されて吸収性本体５を形成している。生理用ナプキン１は、吸収性本体５の長手方向の両側部に防漏壁７を有している。本実施形態の防漏壁７は、いわゆるＴ字状の防漏壁であるが、ループ状の防漏壁であってもよい。本実施形態の生理用ナプキン１は、その長手方向における中央部より前寄りの位置に一対のウイング部３１を有している。ウイング部３１は、裏面シート３を延出することにより形成されており、その裏面には、該ウイング部３１を、ショーツのクロッチ部の非肌対向面に固定するための粘着部（不図示）が形成されている。これらの構成は、従来品と同じである。
【００１７】
次いで、本実施形態の生理用ナプキン１の吸収体４について説明する。
本実施形態の生理用ナプキン１では、図１及び図２に示すように、生理用ナプキン１の前方部ｂ及び後方部ｃにおける吸収体４の肌当接面側に、吸収体４より幅狭で且つ肌当接面側に凸状に突出する前方中高部４１及び後方中高部４２を有している。具体的には、吸収体４は、その上面であって、生理用ナプキン１の前方部ｂ及び後方部ｃに、別個に設けられた前方中高部４１及び後方中高部４２を有している。前方中高部４１及び後方中高部４２は、吸収体４の上方に凸状の形状である。
【００１８】
前方中高部４１は、吸収体４より幅が狭いものであり、図１に示すように、装着者の体液排泄部に当接される排泄部領域ａであって、吸収体４の幅方向（ＣＬ方向に直交する方向）の略中央に形成されている。前方中高部４１の形状は、平面視して、その長手方向の両側部４１ａが、それぞれ生理用ナプキン１の幅方向（ＣＬ方向に直交する方向）に凸状の曲線形状である。また、前方中高部４１の長手方向の両端部４１ｂ１，４１ｂ２も同様に、生理用ナプキン１の長手方向（ＣＬ方向）に凸状の曲線形状である。前方中高部４１は、図１に示すように、後述する一対の前方溝６１と中間溝６２とで囲まれている。
【００１９】
後方中高部４２は、吸収体４より幅が狭いものであり、図１に示すように、生理用ナプキン１の後方部ｃであって、吸収体４の幅方向（ＣＬ方向に直交する方向）の略中央に形成されている。本実施形態の生理用ナプキン１の後方中高部４２の形状は、平面視して、生理用ナプキン１の長手方向（ＣＬ方向）の後方に向かって先細り形状に形成されている。後方中高部４２の形状は、平面視して、その長手方向の両側部４２ａは、それぞれ生理用ナプキン１の幅方向（ＣＬ方向に直交する方向）に凸状の曲線形状であるが、前方中高部４１の両側部４１ａの形状に比べて、緩やかな凸状である。後方中高部４２は、図１に示すように、後述する一対の後方内溝６３と中間溝６２とで囲まれている。
【００２０】
本実施形態の生理用ナプキン１では、図１及び図２に示すように、吸収体４と表面シート２とを接合するエンボス溝を有している。エンボス溝は、深く形成された部分とそれよりも若干浅く形成された部分とが交互に配置されて連続線を形成している。エンボス溝の深い部分は、図１においては、黒く塗りつぶした線で示されている。本実施形態の生理用ナプキン１では、エンボス溝は、前方溝６１、中間溝６２、後方内溝６３及び後方外溝６４を有している。
【００２１】
前方溝６１は、図１に示すように、生理用ナプキン１の長手方向に延びる中心線（ＣＬ線）に線対称的に一対設けられている。一対の前方溝６１は、前方中高部４１の側部４１ａ，４１ａ’に沿って形成され且つ生理用ナプキン１の幅方向（ＣＬ方向に直交する方向）に凸状に形成されている。本実施形態の生理用ナプキン１の前方溝６１の形状は、凸状の曲線であり、図３に示すように、前方中高部４１の側部と該前方溝の間隔は、最も広い部分ｌ１において、その距離が、６〜１０ｍｍであり、最も狭い部分ｌ２において、その距離が、２〜５．５ｍｍである。本実施形態の生理用ナプキン１の前方溝６１は、図１に示すように、前方中高部４１の長手方向（ＣＬ方向）の前方端部４１ｂ１の近傍に、生理用ナプキン１の内側に括れた一対の括れ部６１ｂ１を有し、後方端部４１ｂ２の近傍に、生理用ナプキン１の内側に括れた一対の括れ部６１ｂ２を有しており、前方中高部４１からの距離が最も広い部分ｌ１で長手方向（ＣＬ方向）に対象形をなしている。括れ部６１ｂ１と括れ部６１ｂ２との間の長さｌ３は、４０〜８０ｍｍであり、このように形成された凸状の曲線形状によって、装着時に隆起する。なお、前方溝６１の溝幅は、１．５ｍｍ〜６ｍｍであると、上記効果を奏しやすい。
【００２２】
中間溝６２は、図１及び図２に示すように、生理用ナプキン１の前方中高部４１と後方中高部４２との間に形成されている。中間溝６２の形状は、平面視して、図１に示すように、生理用ナプキン１の幅方向（ＣＬ線が延びる方向と直交する方向）に延び且つ後方中高部４２に向って凸状に形成されている。本実施形態の生理用ナプキン１の中間溝６２の形状は、凸状の曲線であり、中間溝６２の溝幅は、１.５ｍｍ〜６ｍｍである。本実施形態の生理用ナプキン１においては、装着時に前方中高部４１と後方中高部４２との間に隙間を生じない観点から、図３に示すように、前方中高部４１と後方中高部４２との間の間隔ｄ１が、１５ｍｍ〜３０ｍｍであって、中間溝６２の長手方向（ＣＬ方向）の長さｌ４が、１０ｍｍ〜２０ｍｍであって、中間溝６２の凸状の頂部と前方中高部４１の中間溝６２寄りの端部の間隔ｄ２が、１０ｍｍ〜１５ｍｍであることを同時に満たすことが好ましい。
【００２３】
本実施形態の生理用ナプキン１には、後方内溝６３が、図１に示すように、生理用ナプキン１の長手方向に延びる中心線（ＣＬ線）に線対称的に一対設けられている。本実施形態の生理用ナプキン１の後方内溝６３は、先細り形状に形成された後方中高部４２の側部４２ａに沿って形成されている。生理用ナプキン１においては、図１に示すように、生理用ナプキン１の右側の後方内溝６３と左側の後方内溝６３’との連結部である最後方先端部６３ｃが長手方向（ＣＬ方向）の外方に向かって凸に形成されている。後方内溝６３の溝幅は、１．５ｍｍ〜６ｍｍである。
【００２４】
本実施形態の生理用ナプキン１には、後方外溝６４が、図１に示すように、生理用ナプキン１の中心線（ＣＬ線）に線対称的に一対設けられている。本実施形態の生理用ナプキン１の後方外溝６４は、後方内溝６３より生理用ナプキン１の幅方向（ＣＬ線が延びる方向と直交する方向）の外方に形成されている。後方外溝６４は、前方溝６１と繋がっており、生理用ナプキン１の長手方向（ＣＬ方向）の前端部から後端部に亘って、連続したエンボス溝を形成している。生理用ナプキン１においては、図１，図５に示すように、一対の後方外溝６４，６４’と一対の前方溝６１，６１’とが繋がって全周にわたる全周溝が形成されている。前述のように、後方外溝６４は、前方溝６１と繋がっているが、図１に示すように、中間溝６２及び後方内溝６３とは繋がっていない。本実施形態の生理用ナプキン１の後方外溝６４の形状は、生理用ナプキン１の幅方向（ＣＬ方向に直交する方向）に凸状の曲線であり、後方外溝６４の溝幅は、１．５ｍｍ〜６ｍｍである。
【００２５】
本実施形態の生理用ナプキン１の形成材料について説明する。
上記表面シート２、上記裏面シート３、上記吸収体４及び一対の防漏壁７としては、通常、生理用ナプキン等の吸収性物品に用いられるものであれば、特に制限なく用いることができる。例えば、表面シート２としては、液透過性の不織布や、開孔フィルム等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものからを、ティッシュペーパーや透水性の不織布等の被覆材で包んでなるもの等を用いることができる。防漏壁７を形成する伸縮シートとしては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。
【００２６】
上記前方中高部４１としては、パルプやコットンのような天然繊維、天然繊維以外の合成繊維、及びそれらを混合した繊維が挙げられ、吸収性の観点からパルプ系繊維から構成されていることが好ましい。ここで、合成繊維とは、具体的には、ポリエチレン、ポリプロピレン、ポリエステルやポリ乳酸等の樹脂より形成された単繊維や芯鞘構造繊維のような各種複合繊維、レーヨンなどの半合成繊維が含まれる。
【００２７】
上記後方中高部４２としては、上記前方中高部４１と同様に、パルプやコットンのような天然繊維、天然繊維以外の合成繊維、及びそれらを混合した繊維が挙げられ、フィット性の観点から合成繊維から構成されていることが好ましい。後方中高部４２の合成繊維は、バインダーや複合繊維のバインダー部分によって不織布化されていることが好ましく、ポリエチレン、ポリプロピレン、ポリエステルやポリ乳酸等の樹脂のトウ繊維やアセテート化されたレーヨンのトウ繊維に捲縮が施されて、嵩高化されているウエブ／不織布を用いることも好ましい。いずれの場合においても親水性であることが好ましい。
【００２８】
上記前方溝６１、上記中間溝６２、上記後方内溝６３及び上記後方外溝６４等のエンボス溝を形成する加工法は、ヒートエンボス加工、超音波エンボス加工、それらの組み合わせの加工法等が挙げられる。
【００２９】
次に上述した本発明の本実施形態の生理用ナプキン１を使用した際の作用効果について説明する。
本実施形態の生理用ナプキン１は、図１及び図２に示すように、吸収体４の上面であって、生理用ナプキン１の前方部ｂ及び後方部ｃに、別個に設けられた前方中高部４１及び後方中高部４２を有している。即ち、前方中高部４１及び後方中高部４２は、生理用ナプキン１のウイング部３１，３１’の長手方向（ＣＬ方向：ＣＬ線の延びる方向）の後端付近において、離れて設けられているため、生理用ナプキン１の前方部ｂ又は後方部ｃの何れか一方に前方中高部４１又は後方中高部４２を変形させる力が発生しても、その変形させる力が他方の後方中高部４２又は後方中高部４２に伝わらず、生理用ナプキン１にヨレを生じ難い。
【００３０】
また、本実施形態の生理用ナプキン１は、図１に示すように、前方中高部４１の側部４１ａ，４１ａ’に沿って形成され且つ生理用ナプキン１の幅方向（ＣＬ方向に直交する方向）に凸状に形成されている一対の前方溝６１と、後方中高部４２に向って凸状に形成された中間溝７とを有している。そのため、装着者の足の動き等による左右からの応力（矢印（１））が、生理用ナプキン１の排泄部領域ａに生じた場合、図４に示すように、幅方向外方に凸状の前方溝６１によって囲まれた前方中高部４１が、装着者との当接方向に盛り上がり（矢印（２））、臀部の溝への密着性が向上し、経血等の体液の漏れ防止性が向上する。また、後方中高部４２に向って凸状の中間溝７により、図４に示すように、生理用ナプキン１の後方中高部４２が、前方中高部４１の下方に潜り込むように移動するため（矢印（３））、装着時に前方中高部４１と後方中高部４２との間に隙間を生じない。よって、中高部のフィット性を高めることができるので、経血等の体液の漏れ防止性を高めることができる。
【００３１】
また、本実施形態の生理用ナプキン１は、図１に示すように、後方中高部４２が、生理用ナプキン１の長手方向（ＣＬ方向）の後方に向かって先細り形状に形成されているので、臀部の溝への密着性が向上し、経血等の体液の漏れ防止性が更に向上する。
【００３２】
また、本実施形態の生理用ナプキン１は、図１に示すように、後方外溝６４が、前方溝６１と繋がっているので、生理用ナプキン１のヨレ防止、および経血等の体液の横漏れ防止を両立することができる。
【００３３】
本発明の吸収性物品は、上述の本実施形態の生理用ナプキンに何ら制限されるものではなく、適宜変更可能である。また、上述の本実施形態の生理用ナプキンにおける各構成要件は、本発明の趣旨を損なわない範囲で、適宜組み合わせて実施できる。
【００３４】
例えば、上述の本実施形態の生理用ナプキン１においては、一対の前方溝６１は、図１に示すように、凸状の曲線形状に形成されているが、凸状の屈曲線状に形成されていてもよい。
【００３５】
また、上述の本実施形態の生理用ナプキン１においては、中間溝６２は、図１に示すように、後方中高部４２に向って凸状の曲線形状に形成されているが、凸状の屈曲線状に形成されていてもよい。
【００３６】
また、上述の本実施形態の生理用ナプキン１においては、後方中高部４２は、図１に示すように、先細り形状に形成されているが、先細り形状でなくてもよい。
【００３７】
また、上述の本実施形態の生理用ナプキン１においては、図１に示すように、後方外溝６４は、前方溝６１と繋がっており、中間溝６２及び後方内溝６３とは繋がっていないが、何れも繋がっていても繋がってなくてもよい。また、上述の本実施形態の生理用ナプキン１においては、後方内溝６３及び後方外溝６４を備えているが、何れか一方を又は何れも備えてなくてもよい。
【００３８】
また、生理用ナプキン１を個装形態に折り畳む場合には、前方部ｂと後方部ｃとで、排泄部領域ａを避けるように三つ折り、四つ折りなどに折り、コンパクトにするが、後方部ｃにおける折り線９は、図５に示すように、後方フラップ３２の非肌当接面に配される固定部８を避けるように形成されていることが好ましく、固定部８を避けてさらに後方に形成されていることがより好ましい。固定部８を跨いでしまうと、固定部８同士が個装時に接合されて開封時に離れなかったり、かかる部位に剥離紙を別途設けたり、固定部８が折られることで皺ができ、固定がうまくでき難いなどのためである。
【００３９】
本発明の吸収性物品は、生理用ナプキン以外にも、例えば、使い捨ておむつ、失禁者用パッド、パンティーライナー等に好適に用いることができる。
【実施例】
【００４０】
以下、実施例により本発明を更に詳細に説明する。しかしながら本発明の範囲はかかる実施例に制限されない。
【００４１】
〔実施例１〕
以下の部材を用いて図１〜図４に示す生理用ナプキンを作製した。
・表面シート：ポリエステル・ポリエチレン複合繊維を原料とする坪量２５ｇ／ｍ2のエアスルー不織布。
・裏面シート：ポリエチレン製の坪量３０ｇ／ｍ2のフィルム。
・吸収体：フラッフパルプの積繊体（坪量２８０ｇ／ｍ2）を、坪量１６ｇ／ｍ2のティッシュペーパーで包んだもの。
・防漏壁を形成する伸縮シート：ポリエチレン・ポリプロピレン複合繊維製の坪量２０ｇ／ｍ2のスパンボンド不織布に、複数本の糸状の弾性部材を配置し、伸縮性を付与した複合シート。
・前方中高部及び後方中高部：フラッフパルプの積繊体（坪量５００ｇ／ｍ2）。
【００４２】
前方溝６１、中間溝６２、後方内溝６３及び後方外溝６４は、図１及び図３に示す形状に形成した。形成加工法には、ヒートエンボス加工手段を用いた。各溝の溝幅は、２ｍｍであった。
【００４３】
前方溝６１は、図３に示すように、幅方向外方に凸状に形成されており、前方中高部４１の側部と該前方溝の間隔は、最も広い部分ｌ１において、その距離が、７．５ｍｍであり、最も狭い部分ｌ２において、その距離が、４．５ｍｍであった。また、括れ部６１ｂ１と括れ部６１ｂ２との間の長さｌ３は、６５ｍｍであった。
【００４４】
図３に示すように、前方中高部４１と後方中高部４２との間の間隔ｄ１が、２５ｍｍであった。中間溝６２は、幅方向に連続的に延び、後方中高部４２に向って凸状のＵ字状に形成されており、凸状の長手方向（ＣＬ方向）の長さｌ４が、１０ｍｍであって、中間溝６２の凸状の頂部と前方中高部４１の中間溝６２寄りの端部の間隔ｄ２が、１５ｍｍであった。
【００４５】
〔実施例２〕
中間溝６２を、後方中高部４２に向って凸状のＶ字状に形成する以外は実施例１と同様にして生理用ナプキンを得た。
【００４６】
〔実施例３〕
中間溝６２を、幅方向にドット状、即ち非連続的に延びて形成する以外は実施例１と同様にして生理用ナプキンを得た。
【００４７】
〔実施例４〕
中間溝６２を、後方中高部４２に向って拡開するように、凸状の逆八の字状に形成する以外は実施例１と同様にして生理用ナプキンを得た。
されており、
【００４８】
〔比較例１〕
前方溝６１を、幅方向内方に、即ち、前方中高部４１に向かって凸状に形成する以外は実施例１と同様にして生理用ナプキンを得た。
【００４９】
〔比較例２〕
中間溝６２を、前方中高部４１に向って凸状のＵ字状に形成する以外は実施例１と同様にして生理用ナプキンを得た。
【００５０】
〔比較例３〕
中間溝６２を、前方中高部４１と後方中高部４２との間に配置された、後方中高部４２に向ってＣＬ線と平行な２本の直線状に形成する以外は実施例１と同様にして生理用ナプキンを得た。
【００５１】
〔比較例４〕
中間溝６２を設けず、前方中高部４１と後方中高部４２との間の間隔ｄ１を１５ｍｍに形成する以外は実施例１と同様にして生理用ナプキンを得た。
【００５２】
〔比較例５〕
中間溝６２の凸状の頂部と前方中高部４１の中間溝６２寄りの端部の間隔ｄ２を５ｍｍに形成する以外は実施例１と同様にして生理用ナプキンを得た。
【００５３】
〔比較例６〕
中間溝６２の凸状の頂部と前方中高部４１の中間溝６２寄りの端部の間隔ｄ２を２０ｍｍに形成する以外は実施例１と同様にして生理用ナプキンを得た。
【００５４】
〔比較例７〕
前方中高部４１と後方中高部４２との間の間隔ｄ１を３５ｍｍに形成する以外は実施例１と同様にして生理用ナプキンを得た。
【００５５】
〔生理用ナプキンの評価〕
実施例１〜４及び比較例１〜７の生理用ナプキンのサンプルそれぞれに、前方中高部４１の幅方向中央であって、中間溝６２寄りの端部から５ｍｍ離れた位置上の表面シートに印１を付け、更に、後方中高部４２の幅方向中央であって、中間溝６２寄りの端部から５ｍｍ離れた位置上の表面シートに印２を付ける。次に、実施例１〜４及び比較例１〜７の生理用ナプキンのサンプルそれぞれを、図４に示すように、装着者の足の動き等による左右からの応力（矢印（１））が、生理用ナプキン１の排泄部領域ａに生じた場合を想定して、矢印（１）の方向に応力を作用させるように掴み、股間幅３５ｍｍまで圧縮させる。その際の前記印１及び前記印２の間の間隔を測定し、間隔が１０ｍｍ以下であれば、装着時に前方中高部４１と後方中高部４２との間に隙間を生じず、経血等の体液の漏れ防止性を高めることができるものとして評価した。これらの結果を下記表１、表２及び表３に示す。
【００５６】
【表１】
2010131297.tif 000003
【００５７】
【表２】
2010131297.tif 000004
【００５８】
【表３】
2010131297.tif 000005
【００５９】
表１、表２及び表３に示す結果から明らかなように、実施例の生理用ナプキンのサンプルは、比較例の生理用ナプキンのサンプルに比べ、装着時に前方中高部４１と後方中高部４２との間に隙間を生じず、中高部のフィット性の向上及び漏れ防止性の向上が期待できることがわかった。
【図面の簡単な説明】
【００６０】
【図１】本発明の実施形態である生理用ナプキンの斜視図である。
【図２】図１に示す生理用ナプキンのＹ１−Ｙ１線断面図である。
【図３】図１に示す生理用ナプキンの要部平面図である。
【図４】図１に示す生理用ナプキンの装着状態を表す斜視図である。
【図５】図１に示す生理用ナプキンの平面図である。
【符号の説明】
【００６１】
１  生理用ナプキン
２  表面シート
３  裏面シート
３１  ウイング部
３２  後方フラップ
４  吸収体
４１  前方中高部
４１ａ，４１ａ’  前方中高部の長手方向の側部
４１ｂ１，４１ｂ２  前方中高部の長手方向の端部
４２  後方中高部
４２ａ，４２ａ’  後方中高部の長手方向の側部
５  吸収性本体
６１，６１’  前方溝
６１ｂ１，６１ｂ１’，６１ｂ２，６１ｂ２’  前方溝の括れ部
６２  中間溝
６３，６３’  後方内溝
６３ｃ  最後方先端部
６４，６４’  後方外溝
７  防漏壁
８  固定部
８ｂ  長手方向の前方部寄りの端部
９  折り線
ａ  排泄部領域
ｂ  前方部
ｃ  後方部
ＣＬ  生理用ナプキンの長手方向に延びる中心線
ＩＬ  仮想直線
【図１】
2010131297.tif 000006
【図２】
2010131297.tif 000007
【図３】
2010131297.tif 000008
【図４】
2010131297.tif 000009
【図５】
2010131297.tif 000010